(57)【特許請求の範囲】
【請求項１】
相手コネクタとの着脱方向に対して交差する方向に同軸ケーブルが引き出されるＬ型同軸コネクタであって、
前記相手コネクタの中心端子に接触する中心接触部と同軸ケーブルの中心導体が電気的に接続される中心導体接続部とが連結された中心コンタクトと、
前記相手コネクタとの着脱方向に前記中心接触部を通す貫通孔が設けられた本体絶縁部と、前記中心導体接続部を保持する保持絶縁部と、を有する絶縁体と、
前記本体絶縁部の外周に沿って筒状に折り曲げられて前記着脱方向に沿った切れ目を有し前記相手コネクタの筒状端子に接触する筒状接触部と、前記筒状接触部に連結して設けられた連結部を介して順次形成された、前記本体絶縁部の前記相手コネクタ側とは逆側の面を示す背面を覆う蓋部と、前記保持絶縁部の周囲を包囲するように形成され互いにかしめられることにより前記保持絶縁部を保持する一対のかしめ保持部と、を有し一枚の金属板から一体形成された金属シェルと、を備え、
前記金属シェルは、前記連結部を折り曲げ位置として前記蓋部が前記本体絶縁部の前記背面を覆うよう折り曲げられるものであり、
前記一対のかしめ保持部は、互いに把持する把持機構をそれぞれ有し、
前記把持機構は、前記一対のかしめ保持部の一方の先端に形成された矩形状の開口部と、前記一対のかしめ保持部の他方の先端に形成された、前記開口部に嵌合される矩形状の突起と、から構成されるＬ型同軸コネクタ。
【請求項２】
相手コネクタとの着脱方向に対して交差する方向に同軸ケーブルが引き出されるＬ型同軸コネクタであって、
前記相手コネクタの中心端子に接触する中心接触部と同軸ケーブルの中心導体が電気的に接続される中心導体接続部とが連結された中心コンタクトと、
前記相手コネクタとの着脱方向に前記中心接触部を通す貫通孔が設けられた本体絶縁部と、前記中心導体接続部を保持する保持絶縁部と、を有する絶縁体と、
前記本体絶縁部の外周に沿って筒状に折り曲げられて前記着脱方向に沿った切れ目を有し前記相手コネクタの筒状端子に接触する筒状接触部と、前記筒状接触部に連結して設けられた連結部を介して順次形成された、前記本体絶縁部の前記相手コネクタ側とは逆側の面を示す背面を覆う蓋部と、前記保持絶縁部の周囲を包囲するように形成され互いにかしめられることにより前記保持絶縁部を保持する一対のかしめ保持部と、を有し一枚の金属板から一体形成された金属シェルと、を備え、
前記金属シェルは、前記連結部を折り曲げ位置として前記蓋部が前記本体絶縁部の前記背面を覆うよう折り曲げられるものであり、
前記一対のかしめ保持部は、互いに把持する把持機構をそれぞれ有し、
前記把持機構は、前記一対のかしめ保持部の一方の先端に形成された、根元のくびれた凸状部と、前記一対のかしめ保持部の他方の先端に形成された、前記凸状部に引っ掛かる凹状部と、から構成されるＬ型同軸コネクタ。
【請求項３】
相手コネクタとの着脱方向に対して交差する方向に同軸ケーブルが引き出されるＬ型同軸コネクタであって、
前記相手コネクタの中心端子に接触する中心接触部と同軸ケーブルの中心導体が電気的に接続される中心導体接続部とが連結された中心コンタクトと、
前記相手コネクタとの着脱方向に前記中心接触部を通す貫通孔が設けられた本体絶縁部と、前記中心導体接続部を保持する保持絶縁部と、を有する絶縁体と、
前記本体絶縁部の外周に沿って筒状に折り曲げられて前記着脱方向に沿った切れ目を有し前記相手コネクタの筒状端子に接触する筒状接触部と、前記筒状接触部に連結して設けられた連結部を介して順次形成された、前記本体絶縁部の前記相手コネクタ側とは逆側の面を示す背面を覆う蓋部と、前記保持絶縁部の周囲を包囲するように形成され互いにかしめられることにより前記保持絶縁部を保持する一対のかしめ保持部と、を有し一枚の金属板から一体形成された金属シェルと、を備え、
前記金属シェルは、前記連結部を折り曲げ位置として前記蓋部が前記本体絶縁部の前記背面を覆うよう折り曲げられるものであり、
前記一対のかしめ保持部は、互いに把持する把持機構をそれぞれ有し、
前記把持機構は、前記一対のかしめ保持部の一方の先端に形成された前記着脱方向に貫通する貫通孔と、前記一方のかしめ保持部の先端に重ねられる前記一対のかしめ保持部の他方の先端に形成された、前記貫通孔の内壁に引っ掛かる爪部と、から構成されるＬ型同軸コネクタ。
【請求項４】
前記筒状接触部は、前記同軸ケーブルの引出方向に向けて形成されたガイド片と、前記筒状接触部の外周径の領域内で前記着脱方向に突出した開き止め片と、を有し、
前記本体絶縁部は、前記開き止め片を保持する開き止め片保持部を有し、
前記保持絶縁部は、前記ガイド片が配置されるガイド片配置面を有し、
前記一対のかしめ保持部は、前記ガイド片が前記保持絶縁部の側面に配置された状態で前記保持絶縁部の周囲を包囲するように保持するものである請求項１から請求項３までのいずれか１項に記載のＬ型同軸コネクタ。
【請求項５】
前記金属シェルは、前記蓋部と前記一対のかしめ保持部との間に、前記ガイド片に係合される係合部を有する請求項４に記載のＬ型同軸コネクタ。
【請求項６】
前記中心導体接続部は、前記同軸ケーブルの中心導体を把持する把持部を有し、
前記保持絶縁部は、前記一対のかしめ保持部に押圧されて折り曲げられる一対の折り曲げ片を有し、
前記一対の折り曲げ片は、前記一対のかしめ保持部が互いにかしめられる際に前記把持部を押圧し、前記同軸ケーブルの中心導体を前記把持部に把持させるものである請求項１から請求項５までのいずれか１項に記載のＬ型同軸コネクタ。
【発明の詳細な説明】
【技術分野】
【０００１】
本発明は、例えば、携帯電話やノートパソコン等のモバイル機器に使用されるＬ型同軸コネクタに関する。
【背景技術】
【０００２】
従来、相手コネクタとの着脱方向に対して直交する方向に同軸ケーブルが引き出されるＬ型同軸コネクタが知られている（例えば、特許文献１参照）。この種のＬ型同軸コネクタは、同軸ケーブルの中心導体を保持する中心コンタクトと、この中心コンタクトを覆う絶縁体と、相手コネクタの筒状端子に接続される金属シェルと、を有する。金属シェルには、絶縁体とともに同軸ケーブルの中心導体を保持する一対のかしめ保持部が形成されている。
【０００３】
従来のかしめ保持部の形状としては、図１０に示すようなものが知られている。図１０は、従来のＬ型同軸コネクタにおいて、同軸ケーブルの中心導体が保持されている箇所近傍の断面図であり、（ａ）〜（ｃ）の３つの構成例を示している。
【０００４】
まず、図１０（ａ）に示した従来のＬ型同軸コネクタは、同軸ケーブルの中心導体１を保持する中心コンタクト２、この中心コンタクト２を覆う絶縁体３、相手コネクタの筒状端子に接続される金属シェル４、この金属シェル４に形成され絶縁体３の周囲を保持する一対のかしめ保持部４ａ及び４ｂを有する。
【０００５】
次に、図１０（ｂ）に示した従来のＬ型同軸コネクタは、同軸ケーブルの中心導体５の外周面を包囲する中心導体被覆６、この中心導体被覆６を保持する絶縁体７、相手コネクタの筒状端子に接続される金属シェル８、この金属シェル８に形成され絶縁体７の周囲を保持する一対のかしめ保持部８ａ及び８ｂを有する。ここで、図１０（ｂ１）に示すように、かしめ保持部８ａ及び８ｂは、かしめ前において、それぞれ、Ｌ字状に予め曲げ加工がされている。
【０００６】
次に、図１０（ｃ）に示した従来のＬ型同軸コネクタは、図１０（ｂ）に示したものとは形状が異なる金属シェル９を有し、この金属シェル９に形成されたかしめ保持部９ａ及び９ｂが、かしめ前において、それぞれ、絶縁体７の側面に沿った形状に予め加工されている。
【０００７】
なお、図１０（ｂ）及び（ｃ）においては、中心導体５を保持する中心コンタクトの図示を省略している。
【先行技術文献】
【特許文献】
【０００８】
【特許文献１】特許第４４８１１６１号公報
【発明の概要】
【発明が解決しようとする課題】
【０００９】
しかしながら、従来のＬ型同軸コネクタにおいて、かしめ保持部は１枚の金属板をプレス成形して作製される金属シェルに一体形成されたものなので、過大なかしめ力をかしめ保持部に加えなければかしめ後にスプリングバックが発生し、図１０に示したかしめ後の形状が得られないという課題があった。その結果、従来のＬ型同軸コネクタでは、スプリングバックを考慮した過大なかしめ力により、同軸ケーブルに不具合が発生することがあるという課題があった。
【００１０】
具体的には、図１０（ａ）に示したものでは、かしめ保持部４ａ及び４ｂに過大なかしめ力が加えられることにより、同軸ケーブルの中心導体１と中心コンタクト２との接触不良が発生することがあるという課題があった。また、図１０（ｂ）及び（ｃ）に示したものでは、かしめ保持部８ａ及び８ｂに過大なかしめ力が加えられることにより、同軸ケーブルの中心導体５の断線や中心導体被覆（誘電体）６の破損が発生することがあるという課題があった。
【００１１】
本発明は、従来の課題を解決するためになされたものであり、かしめ保持部に過大なかしめ力を加えることなく同軸ケーブルを保持することができるＬ型同軸コネクタを提供することを目的とする。
【課題を解決するための手段】
【００１２】
本発明のＬ型同軸コネクタは、相手コネクタとの着脱方向に対して交差する方向に同軸ケーブルが引き出されるＬ型同軸コネクタであって、前記相手コネクタの中心端子に接触する中心接触部と同軸ケーブルの中心導体が電気的に接続される中心導体接続部とが連結された中心コンタクトと、前記相手コネクタとの着脱方向に前記中心接触部を通す貫通孔が設けられた本体絶縁部と、前記中心導体接続部を保持する保持絶縁部と、を有する絶縁体と、前記本体絶縁部の外周に沿って筒状に折り曲げられて前記着脱方向に沿った切れ目を有し前記相手コネクタの筒状端子に接触する筒状接触部と、前記筒状接触部に連結して設けられた連結部を介して順次形成された、前記本体絶縁部の前記相手コネクタ側とは逆側の面を示す背面を覆う蓋部と、前記保持絶縁部の周囲を包囲するように形成され互いにかしめられることにより前記保持絶縁部を保持する一対のかしめ保持部と、を有し一枚の金属板から一体形成された金属シェルと、を備え、前記金属シェルは、前記連結部を折り曲げ位置として前記蓋部が前記本体絶縁部の前記背面を覆うよう折り曲げられるものであり、前記一対のかしめ保持部は、互いに把持する把持機構をそれぞれ有し、前記把持機構は、前記一対のかしめ保持部の一方の先端に形成された矩形状の開口部と、前記一対のかしめ保持部の他方の先端に形成された、前記開口部に嵌合される矩形状の突起と、から構成される。
【発明の効果】
【００１３】
本発明は、かしめ保持部に過大なかしめ力を加えることなく同軸ケーブルを保持することができるという効果を有するＬ型同軸コネクタを提供することができるものである。
【図面の簡単な説明】
【００１４】
【図１】本発明の第１実施形態におけるＬ型同軸プラグコネクタの斜視図である。
【図２】本発明の第１実施形態におけるＬ型同軸プラグコネクタの平面図、側面図及び断面図である。
【図３】本発明の第１実施形態におけるＬ型同軸プラグコネクタの中心コンタクトの斜視図である。
【図４】本発明の第１実施形態におけるＬ型同軸プラグコネクタの絶縁体の斜視図である。
【図５】本発明の第１実施形態におけるＬ型同軸プラグコネクタの金属シェルの斜視図である。
【図６】本発明の第１実施形態におけるＬ型同軸プラグコネクタにおいて、中心コンタクトと絶縁体と金属シェルの組立説明図である。
【図７】本発明の第１実施形態におけるＬ型同軸プラグコネクタにおいて、かしめ前の状態を示す斜視図である。
【図８】本発明の第２実施形態におけるＬ型同軸プラグコネクタの平面図である。
【図９】本発明の第３実施形態におけるＬ型同軸プラグコネクタの平面図である。
【図１０】従来のＬ型同軸コネクタの断面図である。
【発明を実施するための形態】
【００１５】
以下、本発明の実施形態について説明する。なお、本発明に係るＬ型同軸コネクタをプラグ側に適用したもの（以下「Ｌ型同軸プラグコネクタ」という。）を例に挙げて説明する。
【００１６】
（第１実施形態）
まず、本発明の第１実施形態の構成について、図１〜図７の各図を適宜参照しながら説明する。ここで、図１は本実施形態におけるＬ型同軸プラグコネクタ１００の斜視図、図２はＬ型同軸プラグコネクタ１００の平面図、側面図及び断面図、図３は中心コンタクト１０の斜視図、図４は絶縁体２０の斜視図、図５は金属シェル３０の斜視図、図６は中心コンタクト１０と絶縁体２０と金属シェル３０の組立説明図、図７はＬ型同軸プラグコネクタ１００のかしめ前の状態を示す斜視図である。
【００１７】
図１に示すように、本実施形態におけるＬ型同軸プラグコネクタ１００は、相手コネクタであるレセプタクルコネクタ１２０との着脱方向に対して直交する方向に同軸ケーブル１１０が引き出される構成を有する。このＬ型同軸プラグコネクタ１００は、本発明に係るＬ型同軸コネクタを構成する。
【００１８】
レセプタクルコネクタ１２０は、中心端子１２１、筒状端子１２２、基板１２３、端子１２１ａ及び１２２ａを有する。端子１２１ａは中心端子１２１に接続され、端子１２２ａは筒状端子１２２に接続されている。端子１２１ａ及び１２２ａが図示しないプリント基板の所定のランドに半田付けされることにより、レセプタクルコネクタ１２０はプリント板に固定される。
【００１９】
Ｌ型同軸プラグコネクタ１００は、図２に示すように、中心コンタクト１０、絶縁体２０、金属シェル３０を有する。
【００２０】
中心コンタクト１０は、図３に示すように、中心接触部１１、中心導体接続部１２を有し、中心接触部１１と中心導体接続部１２とがＬ字状に連結されている。中心接触部１１は、図１に示したレセプタクルコネクタ１２０の中心端子１２１に接触するものである。中心導体接続部１２は、同軸ケーブル１１０の中心導体１１１を把持する把持部１２ａを有し、図２（ｃ）のＣ−Ｃ断面図である図２（ｅ）に示すように、把持部１２ａが中心導体１１１を把持することにより、中心コンタクト１０と中心導体１１１とが電気的に接続されるようになっている。
【００２１】
絶縁体２０は、図４に示すように、本体絶縁部２１、保持絶縁部２２、カバープレート２３を有する。
【００２２】
本体絶縁部２１には、レセプタクルコネクタ１２０との着脱方向に中心コンタクト１０の中心接触部１１を通す貫通孔２１ａと、後述する金属シェル３０に設けられた開き止め片３１ｃ及び３１ｄを保持する開き止め片保持部２１ｂと、背面２１ｃとが形成されている。
【００２３】
保持絶縁部２２には、溝部２２ａ、ガイド片配置面２２ｂ及び２２ｃ、背面２２ｄ、ガイド片受け部２２ｅ及び２２ｆ、一対の折り曲げ片２２ｇ及び２２ｈが形成されている。
【００２４】
溝部２２ａには、中心コンタクト１０の中心導体接続部１２が配置される。ガイド片配置面２２ｂ及び２２ｃには、それぞれ、後述する金属シェル３０に設けられたガイド片３１ａ及び３１ｂが配置される。ガイド片受け部２２ｅ及び２２ｆは、それぞれ、後述するガイド片３１ａ及び３１ｂを受ける構成となっている。一対の折り曲げ片２２ｇ及び２２ｈは、後述する金属シェル３０に設けられたかしめ保持部３５ａ及び３５ｂのかしめ時に折り曲げられ、中心コンタクト１０の把持部１２ａを押圧するものである。
【００２５】
金属シェル３０は、図１及び図５に示すように、筒状接触部３１、連結部３２、蓋部３３、係合手段３４、かしめ保持手段３５、外部導体固定部３６、外被固定部３７を有する。この金属シェル３０は、一枚の金属板（例えば隣青銅板）をプレス加工により打ち抜いて、折り曲げられて形成される。
【００２６】
筒状接触部３１は、本体絶縁部２１の外周に沿って筒状に折り曲げられた形状に加工されている。また、筒状接触部３１は、着脱方向に沿った切れ目３１ｅを有し、レセプタクルコネクタ１２０の筒状端子１２２に接触するようになっている。また、筒状接触部３１は、レセプタクルコネクタ１２０側とは逆側の端面３１ｆ側から切れ目３１ｅを基準として対称に同軸ケーブル１１０の引出方向に向けて切り起こされて形成された一対のガイド片３１ａ及び３１ｂを有する。また、筒状接触部３１は、筒状接触部３１の外周径より小さい領域内で着脱方向に突出した一対の開き止め片３１ｃ及び３１ｄを有する。
【００２７】
開き止め片３１ｃ及び３１ｄは、絶縁体２０が金属シェル３０に組み込まれたとき、絶縁体２０の本体絶縁部２１に形成された開き止め片保持部２１ｂにより保持固定されるようになっている。その結果、開き止め片保持部２１ｂは、金属シェル３０の筒状接触部３１の内径が拡大することを防止するので、Ｌ型同軸プラグコネクタ１００とレセプタクルコネクタ１２０との嵌合力が低下することが防止される。
【００２８】
連結部３２は、筒状接触部３１の端面３１ｆ側の、切れ目３１ｅに対向する側に形成されている。連結部３２を折り曲げ位置として金属シェル３０が９０度折り曲げられることにより、図１に示した形状となる。
【００２９】
蓋部３３は、金属シェル３０が連結部３２で９０度折り曲げられると、本体絶縁部２１の背面２１ｃを覆うように形成されている。
【００３０】
係合手段３４は、アーム状の一対の係合部３４ａ及び３４ｂを有する。係合部３４ａ及び３４ｂは、それぞれ、三角錐形状の突起３４ｃ及び３４ｄを有する。係合部３４ａ及び３４ｂは、金属シェル３０が連結部３２で９０度折り曲げられると、それぞれ、突起３４ｃ及び３４ｄにより、一対のガイド片３１ａ及び３１ｂに係合されるようになっている。この構成により、一対の係合部３４ａ及び３４ｂは、金属シェル３０のスプリングバックにより、金属シェル３０のＡ面とＢ面とのなす角度が略９０度を超えることを防止できる。
【００３１】
なお、突起３４ｃ及び３４ｄの形状は、三角錐形状に限定されるものではなく、係合部３４ａ及び３４ｂが、それぞれ、ガイド片３１ａ及び３１ｂに係合される形状であればよい。また、係合部３４ａ及び３４ｂが、それぞれ、突起３４ｃ及び３４ｄに代わる係合手段を備える構成としてもよい。この係合手段としては、例えば、係合部３４ａ及び３４ｂの内面間の寸法をガイド片３１ａ及び３１ｂの外面間の寸法よりも小さくして圧入により両者を係合させる構成や、係合部３４ａとガイド片３１ａとが互いに接する面、係合部３４ｂとガイド片３１ｂとが互いに接する面を粗くすることにより両者間の摩擦抵抗を大きくして両者を係合させる構成等がある。
【００３２】
かしめ保持手段３５は、図２（ｂ）のＣ−Ｃ断面図である図２（ｄ）に示すように、Ｌ字状に曲げ加工がされたアーム状の一対のかしめ保持部３５ａ及び３５ｂで構成されている。かしめ保持部３５ａ及び３５ｂは、保持絶縁部２２の周囲を包囲するように形成され、互いにかしめられることにより、保持絶縁部２２、ガイド片３１ａ及び３１ｂを保持するようになっている。
【００３３】
かしめ保持部３５ａの先端には、矩形状の開口部３５ｃが形成されている。また、かしめ保持部３５ａの根元側には、凸部３５ｅが形成されている。同様に、かしめ保持部３５ｂの先端には、矩形状の突起３５ｄが形成されている。また、かしめ保持部３５ｂの根元側には、凸部３５ｆが形成されている。ここで、開口部３５ｃ及び突起３５ｄは、互いに嵌合する寸法で形成されている。この構成により、かしめ保持部３５ａ及び３５ｂのかしめ時に、開口部３５ｃと突起３５ｄとが嵌合され、かしめ保持部３５ａ及び３５ｂは、互いに把持するようになっている。なお、開口部３５ｃ及び突起３５ｄは、本発明に係る把持機構を構成する。
【００３４】
外部導体固定部３６は、同軸ケーブル１１０の外部導体１１３の周囲を包囲するように形成され、外部導体固定部３６がかしめられることにより外部導体１１３を固定するようになっている。その結果、同軸ケーブル１１０の外部導体１１３と筒状接触部３１とが電気的に接続されることとなる。
【００３５】
外被固定部３７は、同軸ケーブル１１０の外被１１４の周囲を包囲するように形成され、外被固定部３７がかしめられることにより外被１１４を固定するようになっている。
【００３６】
次に、中心コンタクト１０、絶縁体２０、金属シェル３０の組立状態を図６に示す。図６に示すように、中心コンタクト１０の中心導体接続部１２は絶縁体２０の溝部２２ａに配置されている。また、中心コンタクト１０の中心接触部１１は本体絶縁部２１の貫通孔２１ａに挿入されている（図２（ａ）参照）。
【００３７】
本体絶縁部２１は、金属シェル３０の筒状接触部３１に挿入されている。また、金属シェル３０の筒状接触部３１に形成されたガイド片３１ａは、保持絶縁部２２のガイド片配置面２２ｂ（図４参照）に配置され、ガイド片３１ａの先端をガイド片受け部２２ｅが受けている。同様に、他方のガイド片３１ｂは、図示を省略したが、保持絶縁部２２のガイド片配置面２２ｃに配置され、ガイド片３１ｂの先端をガイド片受け部２２ｆが受けている。
【００３８】
次に、金属シェル３０が連結部３２で９０度折り曲げられ、かしめ前の状態を図７に示す。図７に示すように、金属シェル３０が連結部３２で９０度折り曲げられると、一対の係合部３４ａ及び３４ｂは、それぞれ、一対のガイド片３１ａ及び３１ｂに係合している。その結果、図２（ａ）に示した、金属シェル３０のＡ面とＢ面とのなす角度が略９０度に維持される。
【００３９】
次に、Ｌ型同軸プラグコネクタ１００の組立工程を図６及び図７を中心に説明する。
【００４０】
まず、絶縁体２０のカバープレート２３が金属シェル３０の蓋部３３側となる姿勢で、絶縁体２０の本体絶縁部２１を金属シェル３０の筒状接触部３１に挿入する。このとき、筒状接触部３１に形成されたガイド片３１ａ及び３１ｂは、それぞれ、保持絶縁部２２のガイド片配置面２２ｂ及び２２ｃに配置される。
【００４１】
続いて、中心コンタクト１０の中心接触部１１を本体絶縁部２１の貫通孔２１ａに挿入し、中心コンタクト１０の中心導体接続部１２を保持絶縁部２２の溝部２２ａに配置する。
【００４２】
その後、金属シェル３０を連結部３２で９０度折り曲げ、図７に示したように、一対の係合部３４ａ及び３４ｂを、それぞれ、一対のガイド片３１ａ及び３１ｂに係合させて固定保持させる。このとき、カバープレート２３が中心導体接続部１２を押圧する状態となる（図２（ａ）参照）。
【００４３】
次いで、同軸ケーブル１１０の一端部で中心導体被覆１１２から露出された中心導体１１１を一対の把持部１２ａに挿入して図７に示した状態とする。
【００４４】
そして、外部導体固定部３６及び外被固定部３７のかしめにより、それぞれ、同軸ケーブル１１０の外部導体１１３及び外被１１４を固定する。
【００４５】
さらに、かしめ保持部３５ａ及び３５ｂを互いに内側方向に曲げ起こし、かしめ保持部３５ａ及び３５ｂが保持絶縁部２２の周囲を包囲する状態とし、開口部３５ｃと突起３５ｄとをかしめて嵌合させる。このとき、凸部３５ｅ及び３５ｆが、それぞれ、保持絶縁部２２の折り曲げ片２２ｇ及び２２ｈを押圧している。かしめ保持部３５ａ及び３５ｂが、かしめにより互いに嵌合されたことにより、かしめ保持部３５ａ及び３５ｂは、互いに把持することとなる（図２（ｃ）参照）。このかしめ工程では、かしめ保持部３５ａ及び３５ｂを互いに嵌合するかしめ力を加えればよく、従来のように、過大なかしめ力を必要としない。
【００４６】
以上のように、本実施形態におけるＬ型同軸プラグコネクタ１００によれば、一対のかしめ保持部３５ａ及び３５ｂが、それぞれ、開口部３５ｃ及び突起３５ｄを備え、開口部３５ｃと突起３５ｄとが嵌合することにより、かしめ保持部３５ａ及び３５ｂが互いに把持する構成としたので、かしめ保持部３５ａ及び３５ｂに過大なかしめ力を加えることなく同軸ケーブル１１０を保持することができる。
【００４７】
したがって、本実施形態におけるＬ型同軸プラグコネクタ１００は、従来かしめ時に発生していた、同軸ケーブル１１０の中心導体１１１と中心コンタクト１０との接触不良、中心導体１１１の断線、中心導体被覆１１２の破損等を防止することができる。
【００４８】
また、本実施形態におけるＬ型同軸プラグコネクタ１００は、開き止め片保持部２１ｂが開き止め片３１ｃ及び３１ｄを保持固定する構成としたので、金属シェル３０の筒状接触部３１の内径が拡大することを防止することができる。その結果、Ｌ型同軸プラグコネクタ１００は、Ｌ型同軸プラグコネクタ１００とレセプタクルコネクタ１２０との嵌合力が低下することを防止することができる。
【００４９】
さらに、本実施形態におけるＬ型同軸プラグコネクタ１００は、一対の係合部３４ａ及び３４ｂが、それぞれ、一対のガイド片３１ａ及び３１ｂに係合して固定保持する構成としたので、金属シェル３０のスプリングバックによる影響を抑制することができる。その結果、Ｌ型同軸プラグコネクタ１００は、同軸ケーブル１１０を金属シェル３０に固定する作業の作業性の改善や、レセプタクルコネクタ１２０との実装時の高さを低くする構成（低背化）を実現することができる。
【００５０】
なお、前述の実施形態では、本発明に係るＬ型同軸コネクタをプラグ側に適用したＬ型同軸プラグコネクタ１００を例に挙げて説明したが、本発明はこれに限定されるものではなく、レセプタクル側に適用したＬ型同軸レセプタクルコネクタでも同様な効果が得られる。
【００５１】
また、前述の実施形態では、かしめ保持部３５ａ及び３５ｂのかしめ前の形状として、従来例の説明図である図１０（ｂ１）に示したタイプで説明したが（図２（ｄ）参照）、これに代えて図１０（ｃ１）に示したタイプでもよい。
【００５２】
（第２実施形態）
次に、本発明の第２実施形態について説明する。図８に示すように、本実施形態におけるＬ型同軸プラグコネクタ２００は、第１実施形態のかしめ保持手段３５に代えて、かしめ保持手段４１を備えたものである。したがって、第１実施形態と同様な構成には同じ符号を付して重複する説明を省略する。
【００５３】
かしめ保持手段４１は、アーム状の一対のかしめ保持部４１ａ及び４１ｂで構成されている。かしめ保持部４１ａ及び４１ｂは、保持絶縁部２２の周囲を包囲するように形成され、互いにかしめられることにより、保持絶縁部２２、ガイド片３１ａ及び３１ｂを保持するようになっている。なお、かしめ保持部４１ａ及び４１ｂのかしめ前の形状としては、従来例の説明図である図１０（ｂ１）に示したタイプが好ましい。
【００５４】
かしめ保持部４１ａの先端には、先端側の開口幅が狭い凹状部４１ｃが形成されている。かしめ保持部４１ｂの先端には、根元のくびれた凸状部４１ｄが形成されている。この構成により、かしめ保持部４１ａ及び４１ｂのかしめ時に、凹状部４１ｃと凸状部４１ｄとが引っ掛かり、かしめ保持部４１ａ及び４１ｂは、互いに把持するようになっている。ここで、凹状部４１ｃ及び凸状部４１ｄは、本発明に係る把持機構を構成する。
【００５５】
以上のように、本実施形態におけるＬ型同軸プラグコネクタ２００によれば、一対のかしめ保持部４１ａ及び４１ｂが、それぞれ、凹状部４１ｃ及び凸状部４１ｄを備え、凹状部４１ｃと凸状部４１ｄとが引っ掛かることにより、かしめ保持部４１ａ及び４１ｂが互いに把持する構成としたので、かしめ保持部４１ａ及び４１ｂに過大なかしめ力を加えることなく同軸ケーブル１１０を保持することができる。
【００５６】
（第３実施形態）
次に、本発明の第３実施形態について説明する。図９に示すように、本実施形態におけるＬ型同軸プラグコネクタ３００は、第１実施形態のかしめ保持手段３５に代えて、かしめ保持手段５１を備えたものである。したがって、第１実施形態と同様な構成には同じ符号を付して重複する説明を省略する。
【００５７】
かしめ保持手段５１は、アーム状の一対のかしめ保持部５１ａ及び５１ｂで構成されている。かしめ保持部５１ａ及び５１ｂは、かしめ保持部５１ａの先端側にかしめ保持部５１ｂの先端側が重ねられて、保持絶縁部２２の周囲を包囲するように形成されている。また、かしめ保持部５１ａ及び５１ｂは、互いにかしめられることにより、保持絶縁部２２、ガイド片３１ａ及び３１ｂを保持するようになっている。なお、かしめ保持部５１ａ及び５１ｂのかしめ前の形状としては、従来例の説明図である図１０（ｃ１）に示したタイプが好ましい。
【００５８】
かしめ保持部５１ａの先端側には、矩形状の貫通孔５１ｃが形成されている。かしめ保持部５１ｂの先端側には、貫通孔５１ｃの内壁に引っ掛かる爪部５１ｄが形成されている。この構成により、かしめ保持部５１ａ及び５１ｂのかしめ時に、貫通孔５１ｃの内壁に爪部５１ｄが引っ掛かり、かしめ保持部５１ａ及び５１ｂは、互いに把持するようになっている。ここで、貫通孔５１ｃ及び爪部５１ｄは、本発明に係る把持機構を構成する。
【００５９】
なお、貫通孔５１ｃの形状は、矩形状に限定されず、円形、楕円形、三角形等であってもよい。
【００６０】
以上のように、本実施形態におけるＬ型同軸プラグコネクタ３００によれば、一対のかしめ保持部５１ａ及び５１ｂが、それぞれ先端側に、貫通孔５１ｃ及び爪部５１ｄを備え、貫通孔５１ｃの内壁に爪部５１ｄが引っ掛かることにより、かしめ保持部５１ａ及び５１ｂが互いに把持する構成としたので、かしめ保持部５１ａ及び５１ｂに過大なかしめ力を加えることなく同軸ケーブル１１０を保持することができる。
【産業上の利用可能性】
【００６１】
以上のように、本発明に係るＬ型同軸コネクタは、かしめ保持部に過大なかしめ力を加えることなく同軸ケーブルを保持することができるという効果を有し、携帯電話やノートパソコン等のモバイル機器に使用されるＬ型同軸コネクタとして有用である。
【符号の説明】
【００６２】
１０  中心コンタクト
１１  中心接触部
１２  中心導体接続部
２０  絶縁体
２１  本体絶縁部
２１ａ  貫通孔
２１ｂ  開き止め片保持部
２１ｃ  背面
２２  保持絶縁部
２２ｂ、２２ｃ  ガイド片配置面
３０  金属シェル
３１  筒状接触部
３１ａ、３１ｂ  ガイド片
３１ｃ、３１ｄ  開き止め片
３１ｅ  切れ目
３２  連結部
３３  蓋部
３４ａ、３４ｂ  係合部
３４ｃ、３４ｄ  突起
３５ａ、３５ｂ、４１ａ、４１ｂ、５１ａ、５１ｂ  かしめ保持部
３５ｃ  開口部（把持機構）
３５ｄ  突起（把持機構）
４１ｃ  凹状部（把持機構）
４１ｄ  凸状部（把持機構）
５１ｃ  貫通孔（把持機構）
５１ｄ  爪部（把持機構）
１００、２００、３００  Ｌ型同軸プラグコネクタ（Ｌ型同軸コネクタ）
１１０  同軸ケーブル
１１１  中心導体
１２０  レセプタクルコネクタ（相手コネクタ）
１２１  中心端子
１２２  筒状端子
【図１】
0005152301.tif 000002
【図２】
0005152301.tif 000003
【図３】
0005152301.tif 000004
【図４】
0005152301.tif 000005
【図５】
0005152301.tif 000006
【図６】
0005152301.tif 000007
【図７】
0005152301.tif 000008
【図８】
0005152301.tif 000009
【図９】
0005152301.tif 000010
【図１０】
0005152301.tif 000011